(57)【要約】【課題】固定極側に応力を集中して均等に押圧できるマイク用減容充填部材およびこれを内蔵させた単一指向性コンデンサマイクロホンユニットの提供。【解決手段】マイク用筒体の前端部に螺合されるコンデンサマイクロホンユニットの固定極の中心軸方向に、その前端側を接触させて後端側へと生成電流を引き出す電極引出部材を挿通させるための挿通孔１３を有してユニットケース内を減容する弾性体１２からなり、該弾性体１２は、その基端部１８の外周面１５側から挿通孔１３の軸方向周りへと至る周回溝１７を介して先端側本体部１９と基端側可撓鍔部２０とに二分割され、該基端側可撓鍔部２０の外周縁部２０ａが先端１２ａ方向へと向かう均等圧を受けて撓曲した際に、先端側本体部１９を介して挿通孔１３の前部１４側への応力集中を可能にして形成した。【選択図】図１
2015126259.tif 000002
【特許請求の範囲】
【請求項１】
マイク用筒体の前端部に着脱自在に螺合配置されるコンデンサマイクロホンユニットにおけるユニットケース内にてユニット内蔵部材を構成している固定極の中心軸方向に、その前端側を接触させて後端側へと生成電流を引き出す電極引出部材を挿通配置するための挿通孔を有して前記電極引出部材ともどもユニットケース内に減容を可能に配置される弾性体からなり、
該弾性体は、その基端部の外周面側から前記挿通孔の長さ方向と直交する軸方向周りへと至る均等な幅と深さとを有してなる周回溝を介して先端側本体部と基端側可撓鍔部とに二分割され、該基端側可撓鍔部の外周縁部が先端方向へと向かう均等圧を受けて撓曲した際に、前記先端側本体部を介して前記挿通孔の前部側への応力集中を可能にして形成したことを特徴とするマイク用減容充填部材。
【請求項２】
前記挿通孔は、前記電極引出部材が備える大径部と掛合してその動きを規制する拡径部を前記前部側に備える請求項１に記載のマイク用減容充填部材。
【請求項３】
電子回路部材側を内蔵させてなるマイク用筒体と、先端面には前部音響端子を、前端部の周面には後部音響端子を有してなるユニットケースを介して前記マイク用筒体の前端部側に着脱可能に取り付けられるコンデンサマイクロホンユニットとを備え、前記ユニットケース内に確保される空洞は、該ユニットケースと前記マイク用筒体とを連結する支持リングを介して支持されるマイク用減容充填部材によりその内部容量が減じられてなる単一指向性コンデンサマイクロホンにおいて、
前記マイク用減容充填部材として請求項１または２に記載の弾性体が用いられ、
該弾性体は、前記ユニットケース内に収容されてユニット内蔵部材を構成している前記固定極の中心軸方向にその前端側を接触させて後端側へと生成電流を引き出す電極引出部材を前記挿通孔に挿通させて前記ユニットケース内に収容配置することで、基端側可撓鍔部の前記外周縁部が前記支持リングからの均等圧を受けて撓曲した際に前記先端側本体部側の前記挿通孔を経て電極引出部材の前記前端側へと応力を集中させることで、該前端側と接する前記固定極を含む前記ユニット内蔵部材に対する均一で安定した押圧を可能としたことを特徴とする単一指向性コンデンサマイクロホン。
【請求項４】
前記支持リングは、前記可撓性鍔部の外周縁部との当接部位に該外周縁部との嵌合が可能な環状凹部を備える請求項３に記載の単一指向性コンデンサマイクロホン。
【発明の詳細な説明】
【技術分野】
【０００１】
本発明は、単一指向性コンデンサマイクロホンの空洞共振の発生を防止するためのマイク用減容充填部材およびこれを内蔵させた単一指向性コンデンサマイクロホンに関する技術である。
【背景技術】
【０００２】
通常、コンデンサマイクロホンユニットは、一方の面が音導入孔としての前部音響端子を有して閉止され、他方の開放された面を仕切る開放端部の内周面に雌ねじを刻入してなるユニットケースと、該ユニットケース内の前記前部音響端子の側から前記開放端部に向けて順に、振動板を有するダイアフラムリング、スペーサリング、前記振動板に対する固定極および絶縁座が収容され、該絶縁座の背面に前記雌ねじと螺合する雄ねじを介して螺合されるロックリングにより、前記絶縁座を介して前記固定極を前記ダイアフラムリング側に所定の圧力をもって押圧固定できるようにして形成されている。
【０００３】
図３は、従来からある上記したようなコンデンサマイクロホンユニットを筒体内に収容して形成される単一指向性筒型コンデンサマイクロホンの一例を示す説明図であり、そのうちの（ａ）は右側面図を、（ｂ）は正面図をそれぞれ示す。
【０００４】
同図によれば、単一指向性コンデンサマイクロホン５１は、その前端部５３の周面に後部音響端子５４を有するマイク用筒体５２と、先端面５７ａに前部音響端子５８を有してマイク用筒体５２の前端側に螺合配置されるコンデンサマイクロホンユニット５７とで構成されている。
【０００５】
また、マイク用筒体５２内には、その後端部５６側に収容配置されている出力コネクタ部と電気的に接続された回路基板（図示せず）がその先端部側を保持部材で保持された状態のもとで配置されている。
【０００６】
つまり、筒体５２内には、回路基板を含む電子回路部材を収容配置するための空間が必要になる結果、これらを所定の位置に配置した後の後部音響端子５４が位置する部位に該後部音響端子５４を介して外気と連通する空洞が残置されることになる。
【０００７】
そして、該空洞は、音響容量として動作するなかで、後部音響端子５４に音響質量があることから、共振が発生して指向周波数応答を劣化させるという問題があった。
【０００８】
図４は、上記問題を解決すべく提案された特許文献１における図１（ａ）を再掲したものであり、単一指向性コンデンサマイクロホン５１におけるマイク用筒体５２の空洞５５内に配置されるマイク用減容充填部材６０は、保持部材６３に支持させた状態のもとでその中心軸方向に電極引出部材６１が固定配置されているおり、該電極引出部材６１によりコンデンサマイクロホンユニット５７を構成している固定極５９側を押圧しつつ、共振周波数を高い周波数に引き上げることができるようにその容積を減らすために空洞５５内に収容配置されている。なお、固定極５９の前方（図４の左側）には、固定極５９と対向してスペーサリングと振動板とを有するダイアフラムリングが取り付けられており（図示省略）、固定極５９と振動板とは所定の間隔で配置される。
【先行技術文献】
【特許文献】
【０００９】
【特許文献１】特開２０１１−９８０７号公報
【発明の概要】
【発明が解決しようとする課題】
【００１０】
しかし、上記特許文献１に示されているマイク用減容充填部材６０は、硬質なプラスチック焼結多孔質体により形成されていることから、固定極５９側と直面する電極引出部材６１における対面中央部位６２に対し、固定極５９を含むユニット構成部材側を均等に押圧し得るような応力を集中させることが難しいという不都合があった。
【００１１】
本発明は、従来技術の上記課題に鑑み、単一指向性コンデンサマイクロホンの空洞共振の発生を防止しつつ、固定極側に応力を集中して均等に押圧できるマイク用減容充填部材およびこれを内蔵させた単一指向性コンデンサマイクロホンユニットを提供することを目的とする。
【課題を解決するための手段】
【００１２】
本発明は、上記目的を達成すべくなされたものであり、そのうちの第１の発明（マイク用減容充填部材）は、マイク用筒体の前端部に着脱自在に螺合配置されるコンデンサマイクロホンユニットにおけるユニットケース内にてユニット内蔵部材を構成している固定極の中心軸方向に、その前端側を接触させて後端側へと生成電流を引き出す電極引出部材を挿通配置するための挿通孔を有して前記電極引出部材ともどもユニットケース内に減容を可能に配置される弾性体からなり、該弾性体は、その基端部の外周面側から前記挿通孔の長さ方向と直交する軸方向周りへと至る均等な幅と深さとを有してなる周回溝を介して先端側本体部と基端側可撓鍔部とに二分割され、該基端側可撓鍔部の外周縁部が先端方向へと向かう均等圧を受けて撓曲した際に、前記先端側本体部を介して前記挿通孔の前部側への応力集中を可能にして形成したことを最も主要な特徴としている。
【００１３】
この場合、前記挿通孔は、前記電極引出部材が備える大径部と掛合してその動きを規制する拡径部を前記前部側に具備させておくのが好ましい。
【００１４】
また、第２の発明（単一指向性コンデンサマイクロホン）は、電子回路部材側を内蔵させてなるマイク用筒体と、先端面には前部音響端子を、前端部の周面には後部音響端子を有してなるユニットケースを介して前記マイク用筒体の前端部側に着脱可能に取り付けられるコンデンサマイクロホンユニットとを備え、前記ユニットケース内に確保される空洞は、該ユニットケースと前記マイク用筒体とを連結する支持リングを介して支持されるマイク用減容充填部材によりその内部容量が減じられてなる単一指向性コンデンサマイクロホンにおいて、前記マイク用減容充填部材として請求項１または２に記載の弾性体が用いられ、該弾性体は、前記ユニットケース内に収容されてユニット内蔵部材を構成している前記固定極の中心軸方向にその前端側を接触させて後端側へと生成電流を引き出す電極引出部材を前記挿通孔に挿通させて前記ユニットケース内に収容配置することで、基端側可撓鍔部の前記外周縁部が前記支持リングからの均等圧を受けて撓曲した際に前記先端側本体部側の前記挿通孔を経て電極引出部材の前記前端側へと応力を集中させることで、該前端側と接する前記固定極を含む前記ユニット内蔵部材に対する均一で安定した押圧を可能としたことを最も主要な特徴としている。
【００１５】
この場合、前記支持リングは、前記可撓性鍔部の外周縁部との当接部位に該外周縁部との嵌合が可能な環状凹部を設けて形成するのが好ましい。
【発明の効果】
【００１６】
請求項１の発明（マイク用減容充填部材）によれば、弾性体は、その基端部の外周面側から挿通孔の長さ方向と直交する軸方向周りへと至る均等な幅と深さとを有してなる周回溝を介して先端側本体部と基端側可撓鍔部とに二分割されているので、該基端側可撓鍔部の外周縁部に前端方向へと向かう均等圧をかけて撓曲させた際に、先端側本体部側を介して挿通孔の前部側に応力を集中させることができる。
【００１７】
請求項２の発明によれば、挿通孔には、電極引出部材が備える大径部と掛合してその動きを規制する拡径部がその前部側に設けられているので、該拡径部と大径部とを掛合させて電極引出部材を安定的に位置決めして挿通配置することが可能となる。
【００１８】
請求項３の発明（単一指向性コンデンサマイクロホン）によれば、マイク用減容充填部材として請求項１または２に記載の弾性体が用いられているので、固定極の中心軸方向にその前端側を接触させて後端側へと生成電流を引き出す電極引出部材を挿通孔を介して挿通配置した状態のもとでユニットケース内に配置した上で、支持リングにより基端側可撓鍔部の外周縁部に先端方向へと向かう均等圧をかけて基端側可撓鍔部側を撓曲させた際に、電極引出部材の前端側に応力を集中させて、該前端側と接する固定極側を含むユニット内蔵部材側に対し均一で安定した圧力を加えることができるので、コンデンサマイクロホンユニットに単一指向特性の優れた安定した性能を付与することができる。
【００１９】
請求項４の発明によれば、支持リングには、基端側可撓鍔部の外周縁部との当接部位に該外周縁部と嵌合する環状凹部が設けられているので、該環状凹部を介することで弾性体における基端側可撓鍔部の外周縁部の全周に対しより確実に均等圧をかけることができる。
【図面の簡単な説明】
【００２０】
【図１】第１の発明に係るマイク用減容充填部材の一例を示す説明図であり、そのうちの（ａ）は正面図を、（ｂ）は右側縦断面図をそれぞれ示す。
【図２】第２の発明に係る単一指向性コンデンサマイクロホンの一例を一部を省略して示す説明図であり、そのうちの（ａ）は正面図を、（ｂ）は右側縦断面図をそれぞれ示す。
【図３】本発明を含む単一指向性コンデンサマイクロホンの一般的な外観構成例を示す説明図であり、そのうちの（ａ）は右側面図を、（ｂ）は正面図をそれぞれ示す。
【図４】特許文献１における図１（ａ）の再掲図。
【発明を実施するための形態】
【００２１】
図１に示す第１の発明に係るマイク用減容充填部材は、図２に示すように第２の発明に係る単一指向性コンデンサマイクロホンに組み込んで実施されるので、図２のほか、単一指向性コンデンサマイクロホンの一般的な外観構成例を示す図３をも参酌しながら以下に説明する。
【００２２】
マイク用減容充填部材１１は、図２に示されているようなユニットケース３５の空洞３８内に配置されてその内部容量を減じる例えばシリコーンゴムなどからなる弾性体１２として形成されている。
【００２３】
すなわち、該弾性体１２は、マイク用筒体３２の前端部３３に支持リング４０を介して着脱自在に螺合配置されるコンデンサマイクロホンユニット３４におけるユニットケース３５内にてユニット内蔵部材を構成している固定極３９の中心軸方向に、その前端４１ａ側を接触させて後端４１ｂ側へと生成電流を引き出す電極引出部材４１を挿通配置するための挿通孔１３を有して形成されている。
【００２４】
この場合、挿通孔１３は、電極引出部材４１が前端４１ａ側に備える大径部４２と掛合する拡径部１４ａをその前部１４側に設けて形成されており、該拡径部１４ａを介することで、電極引出部材４１の動きを規制することができるようになっている。
【００２５】
また、弾性体１２は、挿通孔１３を介して挿通配置される電極引出部材４１ともどもユニットケース３５の空洞３８内に配置された際にその内部容量を所望に応じて実質的に減じることができるように、例えばユニットケース３５の内径よりも若干小径な略円柱形状等、適宜の形状と体積とが付与されて形成されている。
【００２６】
また、弾性体１２は、その基端部１８の外周面１５側から挿通孔１３の長さ方向と直交する軸方向周りへと至る均等な幅と深さとを有してなる周回溝１７を介して先端側本体部１９と基端側可撓鍔部２０とに二分割されて形成されている。
【００２７】
このため、弾性体１２は、基端側可撓鍔部２０の外周縁部２０ａが図２に示すように先端１２ａ方向へと向かう均等圧を受けて撓曲した際に、先端側本体部１９を介して挿通孔１３の前部１４側に応力を集中させることができることになる。
【００２８】
一方、図２に示す第２の発明に係る単一指向性コンデンサマイクロホン３１は、図示しない電子回路部材側を内蔵させてなるマイク用筒体３２と、先端面３５ａに形成された前部音響端子（図示省略）と周面３６に形成された後部音響端子３７とを有するユニットケース３５を介してマイク用筒体３２の前端部３３側に着脱可能に取り付けられるコンデンサマイクロホンユニット３４とを備えて形成されている。なお、図２は、マイク用筒体３２とコンデンサマイクロホンユニット３４とは、ユニットケース３５内に螺合配置される支持リング４０の外側とマイク用筒体３２の内側とに相互に螺合するネジ部が形成され、支持リング４０を回して嵌め合わせることで一体的に連結できるようになっている。
【００２９】
また、ユニットケース３５内に確保される空洞３８は、ユニットケース３５内に螺合配置されている支持リング４０を介して支持されるマイク用減容充填部材１１によりその内部容量が実質的に減じられることになる。
【００３０】
この場合、マイク用減容充填部材１１としては、請求項１または２に記載の弾性体、すなわち、周回溝１６を介して先端側本体部１９と基端側可撓鍔部２０とに二分割されている弾性体１２が用いられている。
【００３１】
また、該弾性体１２は、コンデンサマイクロホンユニット３４のユニットケース３５内に収容されてユニット内蔵部材を構成している固定極３９の中心軸方向にその前端４１ａ側を接触させて後端４１ｂ側へと生成電流を引き出す電極引出部材４１を挿通孔１３に挿通させてユニットケース３５内に収容配置されている。
【００３２】
このため、基端側可撓鍔部２０の外周縁部２０ａが支持リング４０からの均等圧を受けて撓曲した際に先端側本体部１９側の挿通孔１３を経て電極引出部材４０の前端４１ａ側へと応力を集中させることで、該前端４１ａ側と接する固定極３９を含む前記ユニット内蔵部材側に対し均一で安定した押圧ができることになる。なお、固定極３９の前方（図２の左側）には、固定極３９と対向してスペーサリングと振動板とを有するダイアフラムリングが取り付けられており（図示省略）、固定極３９と振動板とは所定の間隔で配置される。
【００３３】
次に、上記構成からなる本発明の作用について説明すれば、マイク用減容充填部材（第１の発明）１１としての弾性体１２には、まず、電極引出部材４１の後端４１ｂ側が挿通孔１３の前部１４側から挿入されて電極引出部材４１が配置される。このとき、挿通孔１３がその前部１４に拡径部１４ａを、電極引出部材４１がその前端４１ａ側に大径部４２をそれぞれ備えている場合には、拡径部１４ａと大径部４２とを掛合させて電極引出部材４１を安定的に位置決めして挿通配置することができる。
【００３４】
このようにして電極引出部材４１が挿通配置された後の弾性体１２は、コンデンサマイクロホンユニット３４を構成するユニットケース３５内に確保される空洞３８内に収容される。
【００３５】
弾性体１２を収容した後のユニットケース３５には、支持リング４０が螺合配置される。しかる後、ユニットケース３５に螺合配置されている支持リング４０を押し出し方向に回転させることで、弾性体１２は、その基端側可撓鍔部２０の外周縁部２０ａが先端１２ａ側に撓曲された状態で位置固定される。
【００３６】
このとき、支持リング４０に環状凹部４０ａが設けられているときは、該環状凹部４０ａと基端側可撓鍔部２０の外周縁部２０ａとを嵌合させることができるので、周縁部２０ａの全周に対しより好ましい均等圧をかけることができる。
【００３７】
また、弾性体１２は、基端側可撓鍔部２０の外周縁部２０ａが撓曲されることで、先端側本体部１９を介して挿通孔１２の前部１４側に応力を集中させることができるので、該応力を挿通孔１２に挿通配置されている電極引出部材４１の前端４１ａ側にも集中させることができる。
【００３８】
しかも、電極引出部材４１の前端４１ａは、ユニット内蔵部材を構成している固定極３９とその中心軸方向にて接触しているので、ユニットケース３８内の固定極３９を含むユニット内蔵部材側に対し均一で安定した圧力を加えることができることになる。
【００３９】
このため、第１の発明（マイク用減容充填部材）によれば、弾性体１２は、その基端部１８の外周面１５側から挿通孔１３の長さ方向と直交する軸方向周りへと至る均等な幅と深さとを有してなる周回溝１７を介して先端側本体部１９と基端側可撓鍔部２０とに二分割されているので、該基端側可撓鍔部２０の外周縁部２０ａに先端１２ａ方向へと向かう均等圧をかけて撓曲させた際に、先端側本体部１９側を介して挿通孔１２の前部１４側に応力を集中させることができる。
【００４０】
また、電極引出部材４１が備える大径部４２と掛合してその動きを規制する拡径部１４ａが挿通孔１３の前部１４側に設けられている場合には、該拡径部１４ａと大径部４２とを掛合させて電極引出部材４１を安定的に位置決めして挿通配置することが可能となる。
【００４１】
一方、第２の発明（単一指向性コンデンサマイクロホン）によれば、マイク用減容充填部材１１として請求項１または２に記載の弾性体１２が用いられているので、固定極３９の中心軸方向にその前端４１ａ側を接触させて後端４１ｂ側へと生成電流を引き出す電極引出部材４１を挿通孔１３を介して挿通配置した状態のもとでユニットケース３５内に配置した上で、支持リング４０により基端側可撓鍔部２０の外周縁部２０ａに先端１２ａ方向へと向かう均等圧をかけて基端側可撓鍔部２０側を撓曲させた際に、電極引出部材４１の前端４１ａ側に応力を集中させて、該前端４１ａ側と接する固定極３９側を含むユニット内蔵部材側に対し均一で安定した圧力を加えることができるので、コンデンサマイクロホンユニット３４に対し単一指向特性の優れた安定した性能を付与することができる。
【００４２】
また、基端側可撓鍔部２０の外周縁部２０ａとの当接部位に該外周縁部２０ａと嵌合する環状凹部４０ａが支持リング４０に設けられている場合には、該環状凹部４０を介することで弾性体１２における基端側可撓鍔部２０の外周縁部２０ａの全周に対しより確実に均等圧をかけることができる。
【００４３】
以上は、本発明を図示例に基づいて説明したものであり、その具体的な構成はこれに限定されるものではない。例えば、弾性体１２における先端側本体部２０の断面形状は、図示例に限られるものではなく、基端側可撓鍔部２０の外周縁部２０ａが支持リング４０から受けた圧力を弾性体１２の先端１２ａ側に応力として集中できる形状を呈するものでさえあれば、適宜選定することができる。
【符号の説明】
【００４４】
１１  マイク用減容充填部材
１２  弾性体
１２ａ  先端
１３  挿通孔
１４  前部
１４ａ  拡径部
１５  外周面
１７  周回溝
１８  基端部
１９  先端側本体部
２０  基端側可撓鍔部
２０ａ  外周縁部
３１  単一指向性コンデンサマイクロホン
３２  マイク用筒体
３３  前端部
３４  コンデンサマイクロホンユニット
３５  ユニットケース
３５ａ  先端面
３６  周面
３７  後部音響端子
３８  空洞
３９  固定極
４０  支持リング
４０ａ  環状凹部
４１  電極引出部材
４１ａ  前端
４１ｂ  後端
４２  大径部
【図１】
2015126259.tif 000003
【図２】
2015126259.tif 000004
【図３】
2015126259.tif 000005
【図４】
2015126259.tif 000006